(57)【要約】      （修正有）【課題】睡眠時の首や首周辺の筋肉等の緊張や負担に起因する肩こりや筋肉痛を改善することのできる枕補助具、該枕補助具とともに使用される調整用部材、及び、枕を提供する。【解決手段】枕補助具１は、睡眠時に枕の下部又は内部に設置して使用される。枕補助具１は、圧縮強さが５Ｎ／ｃｍ２以上の素材で構成された平板状部材からなり、平板状部材の上面２から手前側面３にかけて斜め方向の半楕円形状の切り込み４を設けている。平板状部材の手前側面３には凹部５が設けられており、切り込み４が平板状部材の上面２から凹部５にかけて設けられている。【選択図】図３
0003234515.tif 000002
【実用新案登録請求の範囲】
【請求項１】
睡眠時に枕の下部又は内部に設置して使用する枕補助具であって、圧縮強さが５Ｎ／ｃｍ２以上の素材で構成された平板状部材からなり、該平板状部材の上面から手前側面にかけて斜め方向の半楕円形状の切り込みを設けていることを特徴とする枕補助具。
【請求項２】
前記平板状部材を構成する素材の密度が、５０ｋｇ／ｍ３以下である請求項１に記載の枕補助具。
【請求項３】
前記平板状部材を構成する素材が、発泡ポリスチレンである請求項１又は請求項２に記載の枕補助具。
【請求項４】
前記平板状部材を構成する素材が、エチレン酢酸ビニル共重合樹脂（ＥＶＡ）である請求項１又は請求項２に記載の枕補助具。
【請求項５】
前記平板状部材の手前側面に、凹部が設けられており、前記切り込みが該平板状部材の上面から該凹部にかけて設けられている請求項１ないし請求項４の何れかの請求項に記載の枕補助具。
【請求項６】
請求項１ないし請求項５の何れかの請求項に記載の枕補助具の下に設置することで前記枕と前記平板状部材の上面の高さ及び／又は角度を調整するために使用されるものであり、平板状であることを特徴とする調整用部材。
【請求項７】
請求項１ないし請求項５の何れかの請求項に記載の枕補助具を内部に有することを特徴とする枕。
【請求項８】
請求項１ないし請求項５の何れかの請求項に記載の枕補助具を収納するための収納部を有することを特徴とする枕。
【請求項９】
請求項１ないし請求項５の何れかの請求項に記載の枕補助具を括り付けるための紐状部を有することを特徴とする枕。
【考案の詳細な説明】
【技術分野】
【０００１】
本考案は、枕補助具や、該枕補助具とともに使用される調整用部材や枕に関するものである。
【背景技術】
【０００２】
枕は、睡眠時に頭部を支持するための身近な寝具であり、様々な材質や形状のものがある。枕が睡眠の質に与える影響は大きく、枕が変わると眠れない、といった人もいる。
【０００３】
枕の材質や形状の改善に関して、種々の提案がなされている。また、枕自体の改善ではなく、枕と共に補助具を使用して、枕の性能を向上させるための提案も種々されている。
【０００４】
例えば、特許文献１には、流体（水・空気）充填時にほぼ楔状の形体の気密性柔軟性袋体からなり、特に頸椎部近傍の不自然な変形を生じさせないように枕と併用される枕補助具が開示されている。
特許文献１の枕補助具は、枕と共に使用することで、就寝中の人体の頸椎及び胸椎部の不自然な変形やその近傍の圧迫や緊張を防止あるいは軽減するのに有効であるとされている。
【０００５】
特許文献２には、頭部を載置可能な主枕と、頸部を載置可能な補助枕とを備え、補助枕に主枕よりも通気性の良好な詰物を充填した枕が開示されている。
特許文献２の枕は、頭部と頸部を好みの形態で支持でき、しかも頸部を広域に亘って安定して支持し、脊椎の自然な姿勢の保持を増進して快適な睡眠を得られるとともに、肩部の保温作用を向上し、しかも病気や怪我をした人のうつ伏せ寝用またはリハビリ用の介助具に好適であるとされている。
【０００６】
特許文献３には、中央部に設けた凹部、及び凹部から順次せり上る周辺部とを有する枕本体と、枕本体に設けた斜設した首当部を有する補助枕本体とで構成する表面を布地で被った枕であって、枕本体の凹部と周辺部との境目近傍に対の空気孔を形成し、この対の空気孔が人の耳近傍に位置する構成とした枕が開示されている。
特許文献３の枕は、老化に伴う椎間板の後部突出を、痛みを緩和しながら頸椎を自然の状態に戻す（矯正）に役立つとされている。
【０００７】
特許文献４には、主として使用者の頚部を支えるための主枕と、主として使用者の頭部を支えるための副枕とからなる枕が開示されている。
特許文献４の枕は、使用者が自己の好みに応じて様々な使用形態を採用することで、楽に就寝でき、血行が良くなる健康的な自然な就寝姿勢をとることができる上、後頭部辺りが接する枕の部分に隙間を生じさせることができるので、通気性が著しく向上し、頚部や頭部の蒸れや汗の滞留を防止して就寝中の不快感を解消し、夏期において頚部や頭部及びその近傍を適度に冷却して、快適な睡眠をもたらすことができる、とされている。
【０００８】
特許文献５には、本体枕の左右に補助枕２つを設け、枕の高さをより高くしたいときに、補助枕を本体枕の上に重ね、或いは二枚同時に重ねることにより、枕の高さの調節を行うことが可能な枕が開示されている。
特許文献５の枕は、枕の高さの調節を行うことが可能とすることで、首や肩を痛めることを防止することに役立つ、とされている。
【０００９】
しかし、これらの公知文献に記載の発明・考案においては、発明・考案の効果を十分に発揮するために、枕や補助具の形状、サイズ、材質等が、おのずから限定されることになる。
一方、枕の高さや材質には、人により好みが異なり、これらの公知文献に記載の枕や補助具を使用した場合、人によっては、かえって心地の良い睡眠が得られなくなる場合があった。
【００１０】
このため、睡眠の質を良好にすることができ、多くの人に適用することのできる枕に関する改良技術の開発が望まれている。
【先行技術文献】
【特許文献】
【００１１】
【特許文献１】特開平０７−２９８９７０号公報
【特許文献２】特開２０１０−０８８５４８号公報
【特許文献３】特開２００２−１９１４８４号公報
【特許文献４】特開２００３−２３５７０８号公報
【特許文献５】実用新案登録第３２０６０８５号公報
【考案の概要】
【考案が解決しようとする課題】
【００１２】
本考案は上記背景技術に鑑みてなされたものであり、その課題は、睡眠時の首や首周辺の筋肉等の緊張や負担に起因する肩こりや筋肉痛を改善することのできる枕補助具を提供することにあり、また該枕補助具とともに使用される調整用部材や枕を提供することにある。
【課題を解決するための手段】
【００１３】
本考案者は、上記の課題を解決すべく鋭意検討を重ねた結果、枕の下部又は内部に設置する枕補助具を、ある程度の硬さを持った平板上の部材とし、その上面から手前側面にかけて斜め方向の半楕円形状の切り込みを設けることにより、睡眠中の首の位置が安定し、特に、睡眠時に体が横転しても、枕上で肩から首にかけての姿勢が安定し、肩こりや筋肉痛を緩和することができることを見出した。
【００１４】
すなわち、本考案は、睡眠時に枕の下部又は内部に設置して使用する枕補助具であって、圧縮強さが５Ｎ／ｃｍ２以上の素材で構成された平板状部材からなり、該平板状部材の上面から手前側面にかけて斜め方向の半楕円形状の切り込みを設けていることを特徴とする枕補助具を提供するものである。
【００１５】
また、本考案は、前記の枕補助具の下に設置することで前記枕と前記平板状部材の上面の高さ及び／又は角度を調整するために使用されるものであり、平板状であることを特徴とする調整用部材を提供するものである。
【００１６】
また、本考案は、前記の枕補助具を内部に有することを特徴とする枕を提供するものである。
【００１７】
また、本考案は、前記の枕補助具を収納するための収納部を有することを特徴とする枕を提供するものである。
【００１８】
また、本考案は、前記の枕補助具を括り付けるための紐状部を有することを特徴とする枕を提供するものである。
【考案の効果】
【００１９】
本考案によれば、睡眠時に、首が、枕において、枕補助具の半楕円形状の切り込みの部分の上部に置かれることになる。このため、首の位置が安定し、特に、就寝中に体を横転したとしても、枕上で肩から首にかけての姿勢が安定する。これにより、本考案によれば、通常の柔らかい枕を使用した場合に発生する、首や首周辺の筋肉等の緊張や負担に起因する肩こりや筋肉痛の症状を改善することができる。
【００２０】
本考案では、枕補助具を構成する平板状部材の手前側面に凹部を設け、半楕円形状の切り込みを平板状部材の上面から該凹部にかけて設けるようにすることができる。このようにすることにより、枕に肩が直接当たることによる肩の痛みや不快感をなくし、就寝中の無意識下における肩や首への負担を軽減し、不快感を緩和することができる。
【００２１】
本考案の枕補助具は、平板状部材を基にしており、その上部等に枕を設置して使用する。このため、前記した公知技術と異なり、枕の形状や材質が特定のものに限定されることがなく、使用者が、好みに応じた枕を使用することができる。また、本考案の枕補助具の使用を開始する際に、使用者は、使い慣れた枕を変えることなくそのまま使用することができる。
【図面の簡単な説明】
【００２２】
【図１】本考案の枕補助具の使用状態を示す図である。
【図２】本考案の枕補助具の一形態（形態Ａ）を示す斜視図である。
【図３】本考案の枕補助具の一形態（形態Ｂ）を示す斜視図である。
【図４】本考案の枕補助具の一形態（形態Ｂ）を示す六面図である。        （ａ）正面図        （ｂ）背面図        （ｃ）左側面図        （ｄ）右側面図        （ｅ）平面図        （ｆ）底面図
【図５】本考案の枕補助具の一形態（形態Ｂ）の底面図の拡大図である。
【図６】本考案の枕補助具の一形態（形態Ｂ）において、凹部を形成し、切り込みを形成する前の状態を示す斜視図である。
【図７】本考案の枕補助具を、調整用部材と共に使用する際の使用状態を示す図である。        （ａ）高さ調整用部材と共に使用する場合        （ｂ）角度調整用部材と共に使用する場合
【図８】枕補助具を内部に有する枕の図である。
【図９】枕補助具を収納するための収納部を有する枕の図である。
【図１０】枕補助具を収納するための収納部を有する枕に枕補助具を収納した状態を示す図である。
【図１１】枕補助具を括り付けるための紐状部を有する枕の図である。
【図１２】実施例２における枕補助具の切断部位を示す図である。
【考案を実施するための形態】
【００２３】
以下、本考案について説明するが、本考案は以下の実施の形態に限定されるものではなく、任意に変形して実施することができる。
【００２４】
［枕補助具］
図１に、本考案の枕補助具１の使用状態を示す。本考案の枕補助具１は、睡眠時に枕１０の下部（又は内部）に設置して使用する枕補助具１である。枕１０としては、公知の枕を使用することができる。
【００２５】
図２に、本考案の枕補助具１の形態の一例（本明細書において、「形態Ａ」という場合がある。）を示す。本考案の枕補助具１は、平板状部材からなり、該該平板状部材の上面２から手前側面３にかけて斜め方向の半楕円形状の切り込み４を設けている。
【００２６】
本考案の枕補助具１は、ある程度の硬さを持った素材で構成されており、枕１０は、柔らかい素材でできているので、枕１０の下部に枕補助具１を設置し、人が枕１０に頭を預けることで、枕１０の切り込み４の上の部分が凹み、首がフィットした状態となる。
このため、本考案の枕補助具１を枕の下部に設置して睡眠することで、首の位置が安定し、特に、就寝中に体を横転したとしても、枕上で肩から首にかけての姿勢が安定する。
【００２７】
図３〜図５に、本考案の枕補助具１の別の形態（本明細書において、「形態Ｂ」という場合がある。）を示す。この形態では、平板状部材の手前側面３に、凹部５が設けられており、切り込み４が平板状部材の上面２から凹部５にかけて設けられている。
【００２８】
このようにすることにより、枕に肩が直接当たりにくくなり、枕に肩が当たった場合に生じる肩の痛みや不快感をなくし、就寝中の無意識下における肩や首への負担を軽減し、不快感を緩和することができる。
【００２９】
形態Ｂにおいて、凹部５及び切り込み４を平板状部材に形成する手順としては、例えば、平板状部材に、まず、凹部５を形成し（図６）、その後、切り込み４を形成する。
【００３０】
形態Ｂの枕補助具１において、凹部５は、手前側面３に略垂直に設けられた凹んだ部分であり、その形状に特に限定はなく、例えば、Ｖ字状（図３〜６）、Ｕ字状等が挙げられる。
【００３１】
以下、主に形態Ｂを例として本考案を説明するが、凹部５以外に関する事項については、形態Ａについても当てはまる。
【００３２】
本考案の枕補助具１は、圧縮強さが５Ｎ／ｃｍ２以上の素材で構成されている。すなわち、本考案の枕補助具１は、ある程度の硬さを持った素材で構成されている。
枕１０とともに使用される枕補助具１の素材としては、柔らかい素材を使用した方がよいと考えがちであるが、本考案の枕補助具１は、首の位置を安定されるために使用されるものであり、意外にも、硬い素材の方が、安定性が向上しやすい。
【００３３】
本考案の枕補助具１を構成する素材の圧縮強さは、枕１０を構成する素材の圧縮強さよりも大きいことが望ましい。
具体的には、本考案の枕補助具１を構成する素材の圧縮強さは、５Ｎ／ｃｍ２であり、７Ｎ／ｃｍ２以上であることが好ましく、１０Ｎ／ｃｍ２以上であることがより好ましく、１５Ｎ／ｃｍ２以上であることが特に好ましい。また、５０Ｎ／ｃｍ２以下であることが好ましく、３０Ｎ／ｃｍ２以下であることがより好ましく、２０Ｎ／ｃｍ２以下であることが特に好ましい。
圧縮強さが上記下限以上であると、首の位置の安定性が確保されやすく、肩こりや筋肉痛の症状を改善しやすい。圧縮強さが上記上限以下であると枕補助具１を軽量化しやすい。
【００３４】
本考案の枕補助具１を構成する素材の密度は、５ｋｇ／ｍ３以上であることが好ましく、１０ｋｇ／ｍ３以上であることがより好ましく、１５ｋｇ／ｍ３以上であることが特に好ましい。また、５０ｋｇ／ｍ３以下であることが好ましく、４０ｋｇ／ｍ３以下であることがより好ましく、３０ｋｇ／ｍ３以下であることが特に好ましい。
密度が上記下限以上であると、圧縮強さを上記範囲内にしやすい。密度が上記上限以下であると、軽量なため、持ち運び等の取り扱いが容易となる。
【００３５】
本考案の枕補助具１を構成する素材の具体例としては、発泡ポリスチレン、エチレン酢酸ビニル共重合樹脂（ＥＶＡ）、檜や桐等の木材、等が例示できる。
本考案の枕補助具１を構成する素材として使用可能な市販の商品としては、スタイロフォーム（登録商標、デュポン・スタイロ株式会社）等が例示できる。
【００３６】
本考案の枕補助具１の平板状部材は、例えば、図２〜６に示したような直方体形状の平板状部材に、切り込み４や凹部５を設けたものである。
ただし、切り込み４や凹部５の部分が、本考案の効果を発揮する部位であるので、例えば、本考案の枕補助具１を、半円状の平板状部材を基にして、該半円の弦の部分に切り込み４や凹部５を設けてもよい。
【００３７】
製造の容易さの点から、本考案の枕補助具１の平板状部材は、図２〜６に示したような直方体形状の平板状部材を基にしたものであることが望ましい。
この場合、平板状部材の角部分を面取りしてもよい。面取りは、Ｒ面取りであってもよいし、Ｃ面取りであってもよい。
【００３８】
本考案の枕補助具１の厚さ（図４におけるａ）は、１０ｍｍ以上であることが好ましく、２０ｍｍ以上であることがより好ましく、３０ｍｍ以上であることが特に好ましい。また、７０ｍｍ以下であることが好ましく、６０ｍｍ以下であることがより好ましく、５０ｍｍ以下であることが特に好ましい。
【００３９】
本考案の枕補助具１が直方体形状の平板状部材を基にしたものである場合、その長辺の長さ（図４におけるｂ）は、３００ｍｍ以上であることが好ましく、４００ｍｍ以上であることがより好ましく、５００ｍｍ以上であることが特に好ましい。また、１２００ｍｍ以下であることが好ましく、１０００ｍｍ以下であることがより好ましく、８００ｍｍ以下であることが特に好ましい。
【００４０】
本考案の枕補助具１が直方体形状の平板状部材を基にしたものである場合、その短辺の長さ（図４におけるｃ）は、２００ｍｍ以上であることが好ましく、２５０ｍｍ以上であることがより好ましく、３００ｍｍ以上であることが特に好ましい。また、６００ｍｍ以下であることが好ましく、５００ｍｍ以下であることがより好ましく、４００ｍｍ以下であることが特に好ましい。
【００４１】
厚さ、長辺の長さ、短辺の長さが上記下限以上であると、切り込み４や凹部５を無理なく設けることができる。厚さ、長辺の長さ、短辺の長さがが上記上限以下であると、枕補助具１をコンパクトにすることができ、コスト的に有利である。また、枕補助具１の高さを得たい場合、別部材（高さ調整用部材６Ａ）を併用すればよいので、上記上限を超えて枕補助具１を厚くする意義は薄い。
【００４２】
上面２と手前側面３の境界の辺における切り込み４の幅（図４におけるｆ）は、１００ｍｍ以上であることが好ましく、１５０ｍｍ以上であることがより好ましく、２００ｍｍ以上であることが特に好ましい。また、４００ｍｍ以下であることが好ましく、３５０ｍｍ以下であることがより好ましく、３００ｍｍ以下であることが特に好ましい。
【００４３】
上面２における切り込み４の長さ（図４におけるｄ）は、６０ｍｍ以上であることが好ましく、７０ｍｍ以上であることがより好ましく、９０ｍｍ以上であることが特に好ましい。また、１５０ｍｍ以下であることが好ましく、１３０ｍｍ以下であることがより好ましく、１２０ｍｍ以下であることが特に好ましい。
【００４４】
手前側面３における切り込み４の長さ（図４におけるｅ）は、１８ｍｍ以上であることが好ましく、１９ｍｍ以上であることがより好ましく、２０ｍｍ以上であることが特に好ましい。また、２５ｍｍ以下であることが好ましく、２４ｍｍ以下であることがより好ましく、２３ｍｍ以下であることが特に好ましい。
【００４５】
凹部５の深さ（図５におけるｇ）は、６ｍｍ以上であることが好ましく、８ｍｍ以上であることがより好ましく、１０ｍｍ以上であることが特に好ましい。また、４０ｍｍ以下であることが好ましく、３０ｍｍ以下であることがより好ましく、２５ｍｍ以下であることが特に好ましい。
【００４６】
凹部５の幅（図５におけるｈ）は、１００ｍｍ以上であることが好ましく、１５０ｍｍ以上であることがより好ましく、２００ｍｍ以上であることが特に好ましい。また、４００ｍｍ以下であることが好ましく、３５０ｍｍ以下であることがより好ましく、３００ｍｍ以下であることが特に好ましい。
【００４７】
凹部５がＶ字状である場合、その角度（図５におけるθ）は、２°以上であることが好ましく、４°以上であることがより好ましく、５°以上であることが特に好ましい。また、１５°以下であることが好ましく、１２°以下であることがより好ましく、１０°以下であることが特に好ましい。
Ｖ字状の凹部５は、左右対称な形状であることが望ましいが、左右対称でない場合、どちらの角度も上記範囲内であることが好ましい。
【００４８】
凹部５がＵ字状である場合も、左右対称であることが望ましく、接線の角度の好ましい範囲は、上記のＶ字状である場合の角度の範囲と同様である。
【００４９】
切り込み４や凹部５の寸法・形状が上記範囲内であることにより、睡眠中の首の位置が安定しやすく、首や首周辺の筋肉等の緊張や負担が少なくなり、結果、快適な睡眠を得ることができる。
【００５０】
本考案の枕補助具１は、複数の平板状部材によって構成することができる。更に、平板状部材同士が、蝶番や粘着テープ等により接合され、折り畳み可能な構成することができる。
このようにすることにより、枕補助具１をコンパクトにすることができ、収納性や可搬性が向上する。
【００５１】
［調整用部材］
本考案は、前記した枕補助具１と共に使用される調整用部材にも関するものである。本考案の調整用部材は、枕補助具１の下に設置することで枕１０と平板状部材の上面２の高さ及び／又は角度を調整するために使用される。
【００５２】
高さを調整するために使用される高さ調整用部材６Ａは、図７（ａ）に示すように、枕補助具１と略同一の面積を持つ平板状部材である。枕補助具１の使用者の好みに応じて、睡眠時の首の高さを調整するために使用される。
【００５３】
角度を調整するために使用される角度調整用部材６Ｂは、図７（ｂ）に示すように、枕補助具１よりも小さい面積を持つ平板状部材である。角度調整用部材６Ｂは、枕補助具１の奥側の下に設置され、枕補助具１の使用者の好みに応じて、睡眠時の首の角度を調整するために使用される。
【００５４】
高さ調整用部材６Ａや角度調整用部材６Ｂは、それぞれ、複数を使用してもよいし、高さ調整用部材６Ａと角度調整用部材６Ｂの両方を使用してもよい。
【００５５】
高さ調整用部材６Ａや角度調整用部材６Ｂを構成する素材は、枕補助具１を構成する素材と同一であってもよいし、異なっていてもよい。
高さ調整用部材６Ａや角度調整用部材６Ｂの素材の選択に当たっては、首の位置の安定性の確保という点を考慮する必要はなく、枕補助具１に比べての制約は少なく、軽量な素材を使用するのが望ましい。
【００５６】
高さ調整用部材６Ａや角度調整用部材６Ｂの厚さは、枕補助具１の厚さと同一であってもよいし、枕補助具１の厚さよりも厚くてもよいし、薄くてもよい。
高さ調整用部材６Ａや角度調整用部材６Ｂの厚さが枕補助具１の厚さと同一であり、素材も同一である場合、素材の入手コストや加工の手間、等の観点から好ましい。
高さ調整用部材６Ａや角度調整用部材６Ｂの厚さが枕補助具１の厚さよりも薄い場合、高さや角度を使用者の好みに応じて細かく変更できる、等の点から好ましい。
高さ調整用部材６Ａや角度調整用部材６Ｂの厚さは、具体的には、５ｍｍ以上であることが好ましく、１０ｍｍ以上であることがより好ましく、２０ｍｍ以上であることが特に好ましい。また、６０ｍｍ以下であることが好ましく、５０ｍｍ以下であることがより好ましく、４０ｍｍ以下であることが特に好ましい。
【００５７】
高さ調整用部材６Ａは、枕補助具１と略同一の形状であることが望ましく、長辺の長さ、短辺の長さの好ましい範囲は、枕補助具１の場合と同様である。
【００５８】
角度調整用部材６Ｂの長辺の長さは、枕補助具１の長辺の長さと同様であることが好ましい。
角度調整用部材６Ｂの短辺の長さは、枕補助具１の短辺の長さより短いことが望ましい。具体的には、角度調整用部材６Ｂの短辺の長さは、枕補助具１の短辺の長さの１／１０以上であることが好ましく、１／７以上であることがより好ましく、１／５以上であることが特に好ましい。また、４／５以下であることが好ましく、１／２以下であることがより好ましく、１／３以下であることが特に好ましい。
【００５９】
［枕］
睡眠時に、本考案の枕補助具と共に使用される枕について特に限定はなく、市販の枕等を適宜使用することができる。
本考案の枕補助具１と共に使用される枕は、肉厚で見た目重視の枕ではなく、薄めで硬さを緩和できる程度の枕が望ましい。また、後頭部への痛覚を防ぐ程度のものが望ましい。
このような枕の具体例としては、「ボディチューニングピローエアトラス」（株式会社アンジュ）が挙げられる。
【００６０】
また、本考案は、前記した枕補助具１と共に使用される、特有の構造を有する枕にも関するものである。かかる枕の例を、図８〜１１に示す。
【００６１】
図８に示す枕１０は、枕補助具１を内部に有する。すなわち、枕１０は、枕補助具１を、既存の枕の芯として作製されたものである。
【００６２】
図９に示す枕１０は、枕補助具１を収納するための収納部１１を有する。収納部１１に枕補助具１を挿入することで、図１０の状態となる。
【００６３】
図１１に示す枕１０は、枕補助具１を括り付けるための紐状部１２を有する。紐状部１２で、枕補助具１を枕に括り付けて固定することができる。
【００６４】
枕補助具１の使用者によっては、枕１０と枕補助具１の位置関係が変わると、睡眠の質が影響を受ける場合がある。図８〜１１に示す枕１０であれば、枕１０と枕補助具１の位置関係が常に保たれるので、そのような使用者が、より快適な睡眠を得ることができる。
【実施例】
【００６５】
以下に、実施例を挙げて本考案を更に具体的に説明するが、本考案は、その要旨を超えない限りこれらの実施例に限定されるものではない。
【００６６】
実施例１
押出法ポリスチレンフォーム断熱材（デュポン・スタイロ株式会社、スタイロフォームＩＢ（「スタイロフォーム」は登録商標）、厚さ４０ｍｍ）を加工することにより、形態Ｂの枕補助具を作成した。図４及び図５に示す各部の寸法は、下記のようにした。
【００６７】
ａ＝４０ｍｍ
ｂ＝６３０ｍｍ
ｃ＝３５０ｍｍ
ｄ＝１００ｍｍ
ｅ＝２０ｍｍ
ｆ＝２４０ｍｍ
ｇ＝２０ｍｍ
ｈ＝２４０ｍｍ
【００６８】
製造した枕補助具を、睡眠時に、「ボディチューニングピローエアトラス」（株式会社アンジュ）の下部に設置して使用した。数日間使用したが、快適な睡眠を得ることができ、肩こりや筋肉痛の症状は起こらなかった。
【００６９】
実施例２
実施例１の枕補助具を、図１２において点線で示す部位において切断し、３つに分割した。切り込みを有しない部材（図１２の左右の部材）は、３５０ｍｍ×１５０ｍｍ×４０ｍｍの直方体形状である。
切断した部材同士を、粘着テープにより接合することにより、折り畳み可能であり、開いた状態では実施例１の枕補助具と同一形状の枕補助具が完成した。
【産業上の利用可能性】
【００７０】
本考案の枕補助具を用いた枕は、肩こりや筋肉痛の症状を改善することができるため、一般家庭用、医療施設用、介護施設用等における寝具として広く利用されるものである。
【符号の説明】
【００７１】
１    枕補助具
２    上面
３    手前側面
４    切り込み
５    凹部
６Ａ  高さ調整用部材
６Ｂ  角度調整用部材
１０    枕
１１    収納部
１２    紐状部
【図１】
0003234515.tif 000003
【図２】
0003234515.tif 000004
【図３】
0003234515.tif 000005
【図４】
0003234515.tif 000006
【図５】
0003234515.tif 000007
【図６】
0003234515.tif 000008
【図７】
0003234515.tif 000009
【図８】
0003234515.tif 000010
【図９】
0003234515.tif 000011
【図１０】
0003234515.tif 000012
【図１１】
0003234515.tif 000013
【図１２】
0003234515.tif 000014